(57)【要約】      （修正有）【課題】柱状の反射板を構成した導光管の端にＬＥＤを配置した照明灯を構成した化粧鏡において、ＬＥＤ点灯時における、ＬＥＤからの熱を曇り防止とする、構造持つＬＥＤ照明灯付き化粧鏡を提供する。【解決手段】化粧鏡であって、左右に構成した、照明灯Ａを、アルミなどの熱伝導性の良い材料からなる伝熱板６を取り付けて構成されている、ＬＥＤ照明灯点灯時に生じるＬＥＤからの熱ｈｔは、ＬＥＤ取付台５から、伝熱板６へ伝導されこの熱は伝熱板６からもう一方の面に構成された鏡へと伝導される。これにより、伝熱板６に取り付けられた鏡を温め、浴室などの湿度の高いところでの鏡の使用時において、湿度による鏡の曇り及び腐食を防止することができる。【選択図】図５
0003186201.tif 000002
【実用新案登録請求の範囲】
【請求項１】
導光菅を構成したLED照明灯付き鏡において、前記LED照明灯から、発せられる熱を前記鏡に構成された伝熱板に拡散することにより、前記鏡の温度を上昇させ、前記鏡の湿度による曇りを防ぐことを特徴とする、LED照明灯付き化粧鏡。
【考案の詳細な説明】
【技術分野】
【０００１】
本発明は、導光菅を用いたLED照明灯を構成した化粧鏡として使用される。
【背景技術】
【０００２】
従来のLEDを照明に用いた化粧鏡は、LEDから発せられる光はその指向性のため、映し出す対象物の陰影部コントラストが従来の蛍光灯に比べてはっきりとしてしまい化粧鏡としては問題があった。また、風呂場などの湿度の高い所で使用する場合などは、湿度により結露が発生し（以下曇りと記す）、曇り防止付き鏡でないと、鏡面が曇り使用できない場合や、湿度により鏡自体が腐食してしまうことがあった。
【考案の概要】
【考案が解決しようとする課題】
【０００３】
本考案は、映し出す対象物の陰影部コントラストを自然に映し出すLED照明灯を構成し湿度の高い場所の使用時に、前記LED照明灯、点灯時における、前記LEDからの熱にて曇り防止とすると同時に湿度による鏡自体の腐食防止構造持つLED照明灯付き化粧鏡を提供するものである。
【課題を解決するための手段】
【０００４】
化粧鏡に導光菅を構成したLED照明灯と伝熱板を構成させ、LED照明灯点灯時に生じる、LEDからの熱を伝熱板に拡散させ、その熱にて鏡の温度を上昇させる。
【考案の効果】
【０００５】
化粧鏡のLED照明灯に導光菅を使用することにより、光が拡散し、対象物の陰影コントラストが自然の状態になり、対象物をはっきりと映し出せるばかりでなく、LED照明灯点灯時に発生する多くの熱を伝熱板に伝導させることによりその熱を拡散させ前記伝熱板に取り付けられた鏡の温度を上昇させることにより、鏡の曇り及び腐食を防止するだけでなくLED自体の熱による寿命劣化及び故障を防ぐことができる。
【図面の簡単な説明】
【０００６】
【図１】図(1a) 従来のLED照明灯付き化粧鏡    図(2a)従来のLED照明灯付き化粧鏡のLEDからの指向角度図
【図２】本考案の導光菅を使用したＬＥＤ照明灯構成部品断面図
【図３】本考案の導光菅を使用したＬＥＤ照明灯構成部品図斜視図
【図４】本考案の導光菅を使用したＬＥＤ照明灯組み立て後図と光の拡散図
【図５】図(1b) 本考案のLED照明灯付き化粧鏡    図(2b)本考案のLED照明灯付き化粧鏡の伝熱板(6)の熱の拡散図    図(3b) 本考案のLED照明灯付き化粧鏡のLED取付台(5))から伝熱板（6）への      熱拡散図
【考案を実施するための形態】
【０００７】
以下、本考案の実施の形態を、図を使用して説明する。
【０００８】
図1は従来の、化粧鏡の一例で。図(1a)に示されているように、鏡の左右に、LEDを配置して、鏡前面の対象者を照らし、鏡に対象者を映し出す構成である。LEDからの光は図(2a)に示されるように、指向角度θの指向性があるので、この場合、左右６個のLEDから照射される光により対象者の陰影部コントラストが、大きくなる部分が生じる問題やLEDの輝度あげたり、個数を増やすと、LED自体が多くの熱を発しLEDの寿命などに影響するので、全身を映し出す化粧鏡などには不向きであった。
【０００９】
図2は、本考案による化粧鏡に構成される、透明アクリルなどからなる直径D2の円柱状の導光管を使用した、LED照明灯の構成部品とその断面図である、前記導光管の左右末端に設けた伝導性の良い材質からなるLED取付台（5）に取り付けたLED（4）（電気配線図などは省略する）からの発せられる光は透明な光透過部（1）と前記LEDからの光を外部に反射するための反射板部(2)で構成されている導光管に導光される。前記導光管と前記LED取付台（5）は、前記LED取付台（5）に構成された内径d1に対応する外径D1と前記導光管の外径D2に対応する内径d2を構成した支持台（3）により、接続される。
図3は、前図2の斜視図である。
図4は、前図2及び3の構成部品を組み上げた制作したLED照明灯（A）の内部の導光された光の拡散を表した図である、LEDから発せられた光は図示された矢印のように導光管の内部を進み、導光管内部にて反射を繰り返して矢印で示されるように外部に放出、拡散される。このため、外部放出される光は、導光管全面より放出されるので、従来のLED単体で使用した場合の指向性及び指向角度による影響される対象部の陰影部コントラストの問題は解消される。
しかしながら、導光管を使用したLED照明灯は、構成するLEDの数は、多くても前記導光管端の左右2個程度となり、照度、輝度を大きくしようとすると、発熱箇所がLED取付台（5）部と制限されているので、この部分の熱密度が大きくなり、温度上昇値が急激に高くなり、その放熱対策が必要となる。
図5の図（1b）は、本考案のLED照明灯（A）を構成した、化粧鏡である、左右に構成した、前記照明灯（A）を、アルミなどの熱伝導性の良い材料からなる伝熱板（6）を取り付けて構成されている、図（2b）は、、前図(1b)の裏面の伝熱板（6）で、LED照明灯点灯時に生じるLEDからの熱htは、LED取付台（5）から、伝熱板（6）へ伝導されこの熱は前記伝熱板（6）からもう一方の面に構成された鏡へと伝導される、図（3b）で示されているように、前記LED取付台（5）をからの熱htを前記伝熱板(6)に伝導させることにより、LEDからの熱を前記伝熱板(6)に拡散する、熱拡散板の役割と同時に、前記伝熱板(6)に取り付けられた鏡を温め、浴室などの湿度の高いところでの鏡の使用時において、湿度による鏡の曇り及び腐食を防止することができる。
【産業上の利用可能性】
【００１０】
高湿度においても曇らないLED照明灯付き化粧鏡として利用できる。
【符号の説明】
【００１１】
1.     
導光管光透過部
2.     
導光管反射板部
3.     
導光管固定台
4.     
LED
5.     
LED取付台
6.     
伝熱板
Ａ  ＬＥＤ照明灯
d1 ＬＥＤ取り付け台（1）のLED（2）取り付け部におけるざぐりの内径
D1  導光管（6）の外径
【図１】
0003186201.tif 000003
【図２】
0003186201.tif 000004
【図３】
0003186201.tif 000005
【図４】
0003186201.tif 000006
【図５】
0003186201.tif 000007
【手続補正書】
【提出日】平成25年3月14日(2013.3.14)
【手続補正１】
【補正対象書類名】明細書
【補正対象項目名】０００４
【補正方法】変更
【補正の内容】
【０００４】化粧鏡に導光菅を構成したLED照明灯と前記鏡の裏面に伝熱板を構成させる構造にすることにより、LED照明灯点灯時に生じる、LEDからの熱を前記伝熱板に拡散させ、その熱にて鏡の温度を上昇させる。
【手続補正２】
【補正対象書類名】実用新案登録請求の範囲
【補正対象項目名】請求項１
【補正方法】変更
【補正の内容】
【請求項１】
LEDからの光を拡散する導光菅を構成したLED照明を取り付けた、裏面に伝導性の良い伝熱板を構成した、化粧鏡において、前記伝熱板に前記LED照明灯からの熱を伝導させる前記LED照明灯の取付台が取り付けられている構造を持つ化粧鏡。